(57)【要約】【課題】受信品質を向上させることができ、かつ、消費電力を低減することができる通信装置及び方法を提供すること。【解決手段】本発明の通信装置は、無線信号を受けて受信信号を生成する受信アンテナ１０１−１〜１０１−Ｎと、前記受信信号をベースバンド信号に変換する受信回路１０２−１〜１０２−Ｎと、前記ベースバンド信号の信頼度を検出して信頼度検出値を生成する信頼度検出回路１０５と、前記信頼度検出値に基づいて受信回路１０２−１〜１０２−Ｎの電源のＯＮ又はＯＦＦを制御する電源制御回路１０６と、を具備する。電源制御回路１０６は、前記信頼度検出値が閾値以上である時に前記電源のうちの第１の数の電源をＯＮとし、かつ、前記信頼度検出値が前記閾値未満である時に前記電源のうちの前記第１の数より大きい第２の数の電源をＯＮとする。【選択図】　　　図１
2004112454.tif 000002
【特許請求の範囲】
【請求項１】
無線信号を受けて受信信号を生成する複数の受信アンテナと、前記複数の受信アンテナからの前記受信信号をベースバンド信号に変換する複数の受信回路と、前記受信回路からの前記ベースバンド信号の信頼度を検出して信頼度検出値を生成する信頼度検出手段と、前記信頼度検出手段からの前記信頼度検出値に基づいて前記複数の受信回路の電源のＯＮ又はＯＦＦを制御する電源制御手段と、を具備し、前記電源制御手段は、前記信頼度検出手段からの前記信頼度検出値が閾値以上である時に前記電源のうちの第１の数の電源をＯＮとし、かつ、前記信頼度検出値が前記閾値未満である時に前記電源のうちの前記第１の数より大きい第２の数の電源をＯＮとすることを特徴とする通信装置。
【請求項２】
前記信頼度検出手段は所定時間ごとに前記信頼度検出値を生成し、前記電源制御手段は、前記信頼度検出手段からの前記信頼度検出値が所定回数だけ連続して前記閾値以上である時に前記電源のうちの第１の数の電源をＯＮとし、かつ、前記信頼度検出値が所定回数だけ連続して前記閾値未満である時に前記電源のうちの前記第１の数より大きい第２の数の電源をＯＮとすることを特徴とする請求項１記載の通信装置。
【請求項３】
無線信号を受けて受信信号を生成する複数の受信アンテナと、前記複数の受信アンテナからの前記受信信号をベースバンド信号に変換する複数の受信回路と、前記受信回路からの前記ベースバンド信号の信頼度を検出して信頼度検出値を生成する信頼度検出手段と、前記信頼度検出手段からの前記信頼度検出値に基づいて前記複数の受信回路の電源のＯＮ又はＯＦＦを制御する電源制御手段と、を具備し、前記電源制御手段は、前記信頼度検出手段からの前記信頼度検出値が第１の閾値以上である時に前記電源のうちの第１の数の電源をＯＮとし、前記信頼度検出値が前記第１の閾値未満であって第２の閾値以上である時に前記電源のうちの前記第１の数より大きい第２の数の電源をＯＮとし、かつ、前記信頼度検出値が前記第２の閾値未満である時に前記電源のうちの前記第２の数より大きい第３の数の電源をＯＮとすることを特徴とする通信装置。
【請求項４】
無線信号を受けて受信信号を生成する複数の受信アンテナと、前記複数の受信アンテナからの前記受信信号をベースバンド信号に変換する複数の受信回路と、前記受信回路からの前記ベースバンド信号の信頼度を検出して信頼度検出値を生成する信頼度検出手段と、前記信頼度検出手段からの前記信頼度検出値に基づいて前記複数の受信回路の電源のＯＮ又はＯＦＦを制御する電源制御手段と、を具備する通信装置において、前記信頼度検出手段からの前記信頼度検出値が閾値以上である時に前記電源のうちの第１の数の電源をＯＮとするステップと、前記信頼度検出値が前記閾値未満である時に前記電源のうちの前記第１の数より大きい第２の数の電源をＯＮとするステップと、を具備することを特徴とする通信方法。
【請求項５】
無線信号を受けて受信信号を生成する複数の受信アンテナと、前記複数の受信アンテナからの前記受信信号をベースバンド信号に変換する複数の受信回路と、前記受信回路からの前記ベースバンド信号の信頼度を検出して信頼度検出値を生成する信頼度検出手段と、前記信頼度検出手段からの前記信頼度検出値に基づいて前記複数の受信回路の電源のＯＮ又はＯＦＦを制御する電源制御手段と、を具備する通信装置において、前記信頼度検出手段からの前記信頼度検出値が閾値以上である時に前記電源のうちの第１の数の電源をＯＮとするステップと、前記信頼度検出値が前記閾値未満である時に前記電源のうちの前記第１の数より大きい第２の数の電源をＯＮとするステップと、を実施することを特徴とする通信プログラム。
【発明の詳細な説明】
【０００１】
【発明の属する技術分野】
本発明は、移動体通信システムにおける通信装置および方法に関する。
【０００２】
【従来の技術】
従来の通信装置は、２つのアンテナを切換選択する選択回路に、検波出力と包絡線強度信号を出力する検波回路と、省電力モード機能を有する検波回路を接続し、フェージングの変化の緩急をフェージングピッチ判定回路で判定し、変化の激しい時には２つのアンテナの受信信号をそれぞれ２つの検波回路で検波した出力を合成制御回路で合成して復調出力を得、かつ、変化の緩やかな時には検波回路を省電力モードにして休ませ２つのアンテナを選択して検波回路で検波出力を得るように構成されている（例えば、特許文献１参照）。
【０００３】
【特許文献１】
特開平７−１５３８０号公報
【０００４】
【発明が解決しようとする課題】
しかしながら、従来の通信装置においては、フェージングピッチの変化を判定して検波回路のＯＮ又はＯＦＦを決定しているため、実際の受信品質の良い又は悪いに関係なくＯＮ又はＯＦＦを行っているため、受信品質を維持できず、かつ、消費電力が増加してしまうという問題がある。
【０００５】
本発明は、かかる点に鑑みてなされたものであり、受信品質を向上させることができ、かつ、消費電力を低減することができる通信装置及び方法を提供することを目的とする。
【０００６】
【課題を解決するための手段】
本発明の通信装置は、無線信号を受けて受信信号を生成する複数の受信アンテナと、前記複数の受信アンテナからの前記受信信号をベースバンド信号に変換する複数の受信回路と、前記受信回路からの前記ベースバンド信号の信頼度を検出して信頼度検出値を生成する信頼度検出手段と、前記信頼度検出手段からの前記信頼度検出値に基づいて前記複数の受信回路の電源のＯＮ又はＯＦＦを制御する電源制御手段と、を具備し、前記電源制御手段が、前記信頼度検出手段からの前記信頼度検出値が閾値以上である時に前記電源のうちの第１の数の電源をＯＮとし、かつ、前記信頼度検出値が前記閾値未満である時に前記電源のうちの前記第１の数より大きい第２の数の電源をＯＮとする構成を採る。
【０００７】
この構成によれば、複数の受信回路からのベースバンド信号の信頼度を検出して信頼度検出値を生成し、前記信頼度検出値が閾値以上である時に前記受信回路の電源のうちの第１の数の電源をＯＮとし、かつ、前記信頼度検出値が前記閾値未満である時に前記電源のうちの前記第１の数より大きい第２の数の電源をＯＮとするため、受信信号の信頼度検出値に基づいて受信回路の電源を制御することができるから、受信品質を向上させることができ、かつ、消費電力を低減することができる。
【０００８】
本発明の通信装置は、前記構成において、前記信頼度検出手段が所定時間ごとに前記信頼度検出値を生成し、前記電源制御手段が、前記信頼度検出手段からの前記信頼度検出値が所定回数だけ連続して前記閾値以上である時に前記電源のうちの第１の数の電源をＯＮとし、かつ、前記信頼度検出値が所定回数だけ連続して閾値未満である時に前記電源のうちの前記第１の数より大きい第２の数の電源をＯＮとする構成を採る。
【０００９】
この構成によれば、前記効果に加えて、前記信頼度検出値が所定回数だけ連続して前記閾値以上であるか否かによりＯＮとする電源の数を制御しているから、安定して電源の制御を行うことができる。
【００１０】
本発明の通信装置は、無線信号を受けて受信信号を生成する複数の受信アンテナと、前記複数の受信アンテナからの前記受信信号をベースバンド信号に変換する複数の受信回路と、前記受信回路からの前記ベースバンド信号の信頼度を検出して信頼度検出値を生成する信頼度検出手段と、前記信頼度検出手段からの前記信頼度検出値に基づいて前記複数の受信回路の電源のＯＮ又はＯＦＦを制御する電源制御手段と、を具備し、前記電源制御手段が、前記信頼度検出手段からの前記信頼度検出値が第１の閾値以上である時に前記電源のうちの第１の数の電源をＯＮとし、前記信頼度検出値が前記第１の閾値未満であって第２の閾値以上である時に前記電源のうちの前記第１の数より大きい第２の数の電源をＯＮとし、かつ、前記信頼度検出値が前記第２の閾値未満である時に前記電源のうちの前記第２の数より大きい第３の数の電源をＯＮとする構成を採る。
【００１１】
この構成によれば、複数の受信回路からのベースバンド信号の信頼度を検出して信頼度検出値を生成し、前記信頼度検出値が第１の閾値及び第２の閾値以上であるか否かを判定し、この判定結果によりＯＮとする受信回路の電源を制御しているから、受信信号の信頼度検出値に基づいて受信回路の電源をより精確に制御することができるから、受信品質を向上させることができ、かつ、消費電力を低減することができる。
【００１２】
本発明の通信方法は、無線信号を受けて受信信号を生成する複数の受信アンテナと、前記複数の受信アンテナからの前記受信信号をベースバンド信号に変換する複数の受信回路と、前記受信回路からの前記ベースバンド信号の信頼度を検出して信頼度検出値を生成する信頼度検出手段と、前記信頼度検出手段からの前記信頼度検出値に基づいて前記複数の受信回路の電源のＯＮ又はＯＦＦを制御する電源制御手段と、を具備する通信装置において、前記信頼度検出手段からの前記信頼度検出値が閾値以上である時に前記電源のうちの第１の数の電源をＯＮとするステップと、前記信頼度検出値が前記閾値未満である時に前記電源のうちの前記第１の数より大きい第２の数の電源をＯＮとするステップと、を具備するようにした。
【００１３】
この方法によれば、複数の受信回路からのベースバンド信号の信頼度を検出して信頼度検出値を生成し、前記信頼度検出値が閾値以上である時に前記受信回路の電源のうちの第１の数の電源をＯＮとし、かつ、前記信頼度検出値が閾値未満である時に前記電源のうちの前記第１の数より大きい第２の数の電源をＯＮとするため、受信信号の信頼度検出値に基づいて電源を制御することができるから、受信品質を向上させることができ、かつ、消費電力を低減することができる。
【００１４】
本発明の通信プログラムは、無線信号を受けて受信信号を生成する複数の受信アンテナと、前記複数の受信アンテナからの前記受信信号をベースバンド信号に変換する複数の受信回路と、前記受信回路からの前記ベースバンド信号の信頼度を検出して信頼度検出値を生成する信頼度検出手段と、前記信頼度検出手段からの前記信頼度検出値に基づいて前記複数の受信回路の電源のＯＮ又はＯＦＦを制御する電源制御手段と、を具備する通信装置において、前記信頼度検出手段からの前記信頼度検出値が閾値以上である時に前記電源のうちの第１の数の電源をＯＮとするステップと、前記信頼度検出値が前記閾値未満である時に前記電源のうちの前記第１の数より大きい第２の数の電源をＯＮとするステップと、を実施するようにした。
【００１５】
このプログラムによれば、複数の受信回路からのベースバンド信号の信頼度を検出して信頼度検出値を生成し、前記信頼度検出値が閾値以上である時に前記受信回路の電源のうちの第１の数の電源をＯＮとし、かつ、前記信頼度検出値が閾値未満である時に前記電源のうちの前記第１の数より大きい第２の数の電源をＯＮとするため、受信信号の信頼度検出値に基づいて電源を制御することができるから、受信品質を向上させることができ、かつ、消費電力を低減することができる。
【００１６】
【発明の実施の形態】
本発明の骨子は、複数の受信回路からのベースバンド信号の信頼度を検出して信頼度検出値を生成し、前記信頼度検出値が閾値以上である時に前記複数の受信回路における電源のうちの第１の数の電源をＯＮとし、かつ、前記信頼度検出値が前記閾値未満である時に前記電源のうちの前記第１の数より大きい第２の数の電源をＯＮとすることである。
【００１７】
以下、本発明の実施の形態について、図面を参照して詳細に説明する。
【００１８】
（実施の形態１）
図１は、本発明の実施の形態１に係る通信装置の構成を示すブロック図である。図２は、本発明の実施の形態１に係る通信装置の電源制御回路の構成を示すブロック図である。
【００１９】
図１に示すように、本発明の実施の形態１に係る通信装置１００は、複数の受信アンテナ１０１−１〜１０１−Ｎ、複数の受信回路１０２−１〜１０２−Ｎ、復調回路１０３、受信データ変換回路１０４、信頼度検出回路１０５、電源制御回路１０６、タイミング制御回路１０７、送信データ変換回路１０８、変調回路１０９、送信回路１１０及び送信アンテナ１１１を具備している。
【００２０】
受信回路１０２−２〜１０２−Ｎの入力端子は、それぞれ受信アンテナ１０１−１〜１０１−Ｎの出力端子に接続されている。復調回路１０３の入力端子は、複数の受信回路１０２−１〜１０２−Ｎの出力端子に接続されている。受信データ変換回路１０４の入力端子は、復調回路１０３の出力端子に接続されている。信頼度検出回路１０５の入力端子は、受信データ変換回路１０４の出力端子に接続されている。電源制御回路１０６の入力端子は、信頼度検出回路１０５の出力端子に接続されている。電源制御回路１０６の出力端子は、受信回路１０１−１〜１０１−Ｎ及び送信データ変換回路１０８の制御端子に接続されている。
【００２１】
タイミング制御回路１０７の出力端子は、受信回路１０２−１〜１０２−Ｎ、復調回路１０３、受信データ変換回路１０４、信頼度検出回路１０５、電源制御回路１０６、送信データ変換回路１０８、変調回路１０９及び送信回路１１０の制御端子に接続されている。変調回路１０９の入力端子は、送信データ変換回路１０８の出力端子に接続されている。送信回路１１０の入力端子は、変調回路１０９の出力端子に接続されている。送信アンテナ１１１の入力端子は、送信回路１１０の出力端子に接続されている。
【００２２】
図２に示すように、電源制御回路１０６は、信頼度判定部２０１、閾値保持部２０２及び電源ＯＮ／ＯＦＦ制御部２０３を具備している。信頼度判定部２０１の入力端子は、信頼度検出回路１０５及び閾値保持部２０２の出力端子に接続されている。電源ＯＮ／ＯＦＦ制御部２０３の入力端子は、信頼度判定部２０１の出力端子に接続されている。電源ＯＮ／ＯＦＦ制御部２０３の出力端子は、受信回路１０２−１〜１０２−Ｎ及び送信データ変換回路１０８の制御端子に接続されている（図１）。
【００２３】
図１において、受信アンテナ１０１−１〜１０１−Ｎは、それぞれ移動局（図示せず）からの無線信号を受けて受信信号を生成し受信回路１０２−１〜１０２−Ｎに与える。受信回路１０２−１〜１０２−Ｎは、受信アンテナ１０１−１〜１０１−Ｎの受信信号をベースバンド信号に変換し、このベースバンド信号を復調回路１０３に与える。
【００２４】
復調回路１０３は、受信回路１０２−１〜１０２−Ｎからのベースバンド信号を復調して復調データを生成し受信データ変換回路１０４に与える。受信データ変換回路１０４は、復調回路１０３からの復調データに対してＣＲＣ検出による誤り訂正復号を行って出力する。
【００２５】
信頼度検出回路１０５は、復調回路１０３からの復調データおよび受信データ変換回路１０４のＣＲＣチェック結果及び復号データ等を基とに信頼度を検出して信頼度検出値を生成する。この信頼度とは、復調データの受信レベル、干渉レベル、ＳＩＲ又はＢＥＲ等である。
【００２６】
電源制御回路１０６は、信頼度検出回路１０５からの信頼度検出値に基づいて受信回路１０２−１〜１０２−Ｎの電源のＯＮ又はＯＦＦを制御する。より詳細には、電源制御回路１０６においては、信頼度判定部２０１が信頼度検出回路１０５からの信頼度検出値が閾値保持部２０２により保持された閾値以上であるか否かを判定し判定結果を生成して電源ＯＮ／ＯＦＦ制御部２０３に与える。電源ＯＮ／ＯＦＦ制御部２０３は、信頼度判定部２０１からの判定結果に基づいて受信回路１０２−１〜１０２−Ｎの電源のＯＮ又はＯＦＦを制御する。
【００２７】
タイミング制御回路１０７は、受信回路１０２−１〜１０２−Ｎ、復調回路１０３、受信データ変換回路１０４、信頼度検出回路１０５、電源制御回路１０６、タイミング制御回路１０７、送信データ変換回路１０８、変調回路１０９及び送信回路１１０の動作の全タイミング及びシーケンスの制御を行うものである。
【００２８】
送信データ変換回路１０８は、入力された信号をフレームに構成し、このフレーム信号に対してＣＲＣ符号化及び誤り訂正符号化を行って、この送信データを変調回路１０９に与える。変調回路１０９は、送信データ変換回路１０８からの送信データを変調して変調信号を生成し送信回路１１０に与える。送信回路１１０は、変調回路１０９からの変調信号を送信アンテナ１１１を介して移動局へ送信する。なお、本発明の実施の形態１に係る通信装置１００においては、信頼度検出装置１０５は、図示した例に限定されものでなく、受信回路１０２−１〜１０２−Ｎからのベースバンド信号又はこれらのベースバンド信号を処理した後の信号の信頼度を検出してもよい。
【００２９】
次に、本発明の実施の形態１に係る通信装置１００の電源制御回路１０６の動作について、図１及び図２と共に図３を参照して説明する。
【００３０】
電源制御回路１０６においては、まず、電源ＯＮ／ＯＦＦ制御部２０３は、受信回路１０２−１〜１０２−Ｎの電源のうちの第１の数の電源をＯＮとする（ステップＳＴ３０１）。次に、信頼度判定部２０１が信頼度検出回路１０５からの信頼度検出値をＳとし閾値をＴｈｒとした場合にＳ≧Ｔｈｒであるか否かを判定し（ステップＳＴ３０２）、判定結果を生成して電源ＯＮ／ＯＦＦ制御部２０３に与える。
【００３１】
ステップＳＴ３０２において、電源ＯＮ／ＯＦＦ制御部２０３は、信頼度判定部２０１からの判定結果がＳ≧Ｔｈｒである時に、受信回路１０２−１〜１０２−Ｎの電源のうちの第１の数の電源をＯＮとする（ステップＳＴ３０３）。また、ステップＳＴ３０２において、電源ＯＮ／ＯＦＦ制御部２０３は、信頼度判定部２０１からの判定結果がＳ≧Ｔｈｒでない時に受信回路１０２−１〜１０２−Ｎの電源のうちの第１の数より大きい第２の数の電源をＯＮとする（ステップＳＴ３０４）。
【００３２】
このように、本発明の実施の形態１によれば、複数の受信回路１０２−１〜１０２−Ｎからのベースバンド信号の信頼度を検出して信頼度検出値を生成し、前記信頼度検出値が閾値以上である時に受信回路１０２−１〜１０２−Ｎの電源のうちの第１の数の電源をＯＮとし、かつ、前記信頼度検出値が閾値未満である時に前記電源のうちの前記第１の数より大きい第２の数の電源をＯＮとするため、受信信号の信頼度検出値に基づいて受信回路１０２−１〜１０２−Ｎの電源を制御することができるから、受信品質を向上させることができ、かつ、消費電力を低減することができる。
【００３３】
（実施の形態２）
次に、本発明の実施の形態２について、図面を参照して詳細に説明する。図４は、本発明の実施の形態２に係る通信装置の電源制御回路の構成を示すブロック図である。本発明の実施の形態２においては、本発明の実施の形態１と同じ構成要素には同じ参照符号が付されている。
【００３４】
本発明の実施の形態２に係る通信装置４００は、本発明の実施の形態１に係る通信装置１００の電源制御回路１０６の代わりに、図４に示すように電源制御回路４０１を具備している。すなわち、本発明の実施の形態２に係る通信装置４００は、複数の受信アンテナ１０１−１〜１０１−Ｎ、複数の受信回路１０２−１〜１０２−Ｎ、復調回路１０３、受信データ変換回路１０４、信頼度検出回路１０５、タイミング制御回路１０７、送信データ変換回路１０８、変調回路１０９、送信回路１１０、送信アンテナ１１１（図１）及び電源制御回路４０１を具備している。
【００３５】
電源制御回路４０１は、信頼度判定部２０１、閾値保持部２０２、電源ＯＮ／ＯＦＦ制御部２０３及び判定結果カウント部４０２を具備している。信頼度判定部２０１の入力端子は、信頼度検出回路１０５の出力端子に接続されている。閾値保持部２０２の出力端子は、信頼度判定部２０１の入力端子に接続されている。判定結果カウント部４０２の入力端子は、信頼度判定部２０１の出力端子に接続されている。電源ＯＮ／ＯＦＦ制御部２０３の入力端子は、判定結果カウント部４０２の出力端子に接続されている。電源ＯＮ／ＯＦＦ制御部２０３の出力端子は、受信回路１０２−１〜１０２−Ｎ及び送信データ変換回路１０８の制御端子に接続されている（図１）。
【００３６】
次に、本発明の実施の形態２に係る通信装置４００の電源制御回路４０１の動作について、図１と共に図４及び図５を参照して説明する。図５は、本発明の実施の形態２に係る通信装置４００の電源制御回路４０１の動作を説明するためのフロー図である。
【００３７】
電源制御回路４０１においては、まず、電源ＯＮ／ＯＦＦ制御部２０３は、受信回路１０２−１〜１０２−Ｎの電源のうちの第１の数の電源をＯＮとする（ステップＳＴ５０１）。次に、信頼度判定部２０１は、所定時間ごとに信頼度検出回路１０５からの信頼度検出値をＳとし閾値保持部２０２により保持された閾値をＴｈｒとした場合にＳ≧Ｔｈｒであるか否かを判定し（ステップＳＴ５０２）、判定結果を生成して判定結果カウント部４０２に与える。判定結果カウント部４０２は、信頼度判定部２０１からの判定結果をカウントし判定結果カウント値を生成して電源ＯＮ／ＯＦＦ制御部２０３に与える。
【００３８】
ステップＳＴ５０２においてＳ≧Ｔｈｒである時に、電源ＯＮ／ＯＦＦ制御部２０３は、判定結果カウント値を受けて所定回数Ｋだけ連続してＳ≧Ｔｈｒであるかを判断する（ステップＳＴ５０３）。ステップＳＴ５０３において所定回数Ｋだけ連続してＳ≧Ｔｈｒではない時には、ステップＳＴ５０２に戻る。ステップＳＴ５０３において所定回数Ｋだけ連続してＳ≧Ｔｈｒである時には、電源ＯＮ／ＯＦＦ制御部２０３は、受信回路１０２−１〜１０２−Ｎの電源のうちの第１の数の電源をＯＮとする（ステップＳＴ５０４）。
【００３９】
ステップＳＴ５０２においてＳ≧Ｔｈｒでない時に、電源ＯＮ／ＯＦＦ制御部２０３は、判定結果カウント値を受けて所定回数Ｋだけ連続してＳ＜Ｔｈｒであるかを判断する（ステップＳＴ５０５）。ステップＳＴ５０５において所定回数Ｋだけ連続してＳ＜Ｔｈｒではない時には、ステップＳＴ５０２に戻る。ステップＳＴ５０５において所定回数Ｋだけ連続してＳ＜Ｔｈｒである時には、電源ＯＮ／ＯＦＦ制御部２０３は、受信回路１０２−１〜１０２−Ｎの電源のうちの前記第１の数より大きい第２の数の電源をＯＮとする（ステップＳＴ５０６）。
【００４０】
このように、本発明の実施の形態２によれば、本発明の実施の形態１の効果に加えて、前記信頼度検出値が所定回数Ｋだけ連続して前記閾値以上であるか否かによりＯＮとする電源の数を制御しているから、安定して電源の制御を行うことができる。
【００４１】
（実施の形態３）
次に、本発明の実施の形態３について、図面を参照して詳細に説明する。図６は、本発明の実施の形態３に係る通信装置の電源制御回路を示すブロック図である。本発明の実施の形態３においては、本発明の実施の形態１と同じ構成要素には同じ参照符号が付されている。
【００４２】
本発明の実施の形態３に係る通信装置６００は、本発明の実施の形態１に係る通信装置１００の電源制御回路１０６の代わりに、図６に示すように電源制御回路６０１を具備している。すなわち、本発明の実施の形態３に係る通信装置６００は、複数の受信アンテナ１０１−１〜１０１−Ｎ、複数の受信回路１０２−１〜１０２−Ｎ、復調回路１０３、受信データ変換回路１０４、信頼度検出回路１０５、タイミング制御回路１０７、送信データ変換回路１０８、変調回路１０９、送信回路１１０、送信アンテナ１１１（図１）及び電源制御回路６０１を具備している。
【００４３】
電源制御回路６０１は、信頼度判定部２０１、第１の閾値保持部６０２、第２の閾値保持部６０３及び電源ＯＮ／ＯＦＦ制御部２０３を具備している。信頼度判定部２０１の入力端子は、信頼度検出回路１０５の出力端子に接続されている。第１の閾値保持部６０２及び第２の閾値保持部６０３の出力端子は、信頼度判定部２０１の入力端子に接続されている。電源ＯＮ／ＯＦＦ制御部２０３の入力端子は、信頼度判定部２０１の出力端子に接続されている。電源ＯＮ／ＯＦＦ制御部２０３の出力端子は、受信回路１０２−１〜１０２−Ｎ及び送信データ変換回路１０８の制御端子に接続されている（図１）。
【００４４】
次に、本発明の実施の形態３に係る通信装置６００の電源制御回路６０１の動作について、図１と共に図６及び図７を参照して説明する。図７は、本発明の実施の形態３に係る通信装置６００の電源制御回路６０１の動作を説明するためのフロー図である。
【００４５】
電源制御回路６０１においては、まず、電源ＯＮ／ＯＦＦ制御部２０３は、受信回路１０２−１〜１０２−Ｎの電源のうちの第１の数の電源をＯＮとする（ステップＳＴ７０１）。次に、信頼度判定部２０１は、所定時間ごとに信頼度検出回路１０５からの信頼度検出値をＳとし第１の閾値保持部６０２により保持された第１の閾値をＴｈｒ１とした場合にＳ≧Ｔｈｒ１であるか否かを判定し（ステップＳＴ７０２）、判定結果を電源ＯＮ／ＯＦＦ制御部２０３に与える。ステップＳＴ７０２においてＳ≧Ｔｈｒ１である時には、電源ＯＮ／ＯＦＦ制御部２０３は、受信回路１０２−１〜１０２−Ｎの電源のうちの第１の数の電源をＯＮとする（ステップＳＴ７０３）。
【００４６】
ステップＳＴ７０２においてＳ≧Ｔｈｒ１でない時には、電源ＯＮ／ＯＦＦ制御部２０３は、第２の閾値保持部６０３により保持された第２の閾値をＴｈｒ２とした場合にＳ≧Ｔｈｒ２であるか否かを判定し（ステップＳＴ７０４）、判定結果を電源ＯＮ／ＯＦＦ制御部２０３に与える。ステップＳＴ７０４においてＳ≧Ｔｈｒ２である時には、電源ＯＮ／ＯＦＦ制御部２０３は、受信回路１０２−１〜１０２−Ｎの電源のうちの第１の数より大きい第２の数の電源をＯＮとする（ステップＳＴ７０５）。ステップＳＴ７０４においてＳ≧Ｔｈｒ２でない時には、電源ＯＮ／ＯＦＦ制御部２０３は、受信回路１０２−１〜１０２−Ｎの電源のうちの第２の数より大きい第３の数の電源をＯＮとする（ステップＳＴ７０６）。
【００４７】
なお、本発明の実施の形態３は、本発明の実施の形態２に適用することができる。また、本発明は、本発明の実施の形態１〜３の動作を実行するための通信プログラムを含むものである。
【００４８】
【発明の効果】
以上説明したように、本発明によれば、受信信号の信頼度検出値に基づいて受信回路の電源を制御することができるから、受信品質を向上させることができ、かつ、消費電力を低減することができる。
【図面の簡単な説明】
【図１】本発明の実施の形態１に係る通信装置の構成を示すブロック図
【図２】本発明の形態１に係る通信装置の電源制御回路の構成を示すブロック図
【図３】本発明の形態１に係る通信装置の電源制御回路の動作を説明するためのフロー図
【図４】本発明の形態２に係る通信装置の電源制御回路の構成を示すブロック図
【図５】本発明の形態２に係る通信装置の電源制御回路の動作を説明するためのフロー図
【図６】本発明の形態３に係る通信装置の電源制御回路の構成を示すブロック図
【図７】本発明の形態３に係る通信装置の電源制御回路の動作を説明するためのフロー図
【符号の説明】
１００、４００、６００　通信装置
１０１−１〜１０１−Ｎ　受信アンテナ
１０２−１〜１０２−Ｎ　受信回路
１０３　復調回路
１０４　受信データ変換回路
１０５　信頼度検出回路
１０６、４０１、６０１　電源制御回路
１０７　タイミング制御回路
１０８　送信データ変換回路
１０９　変調回路
１１０　送信回路
１１１　送信アンテナ
２０１　信頼度判定部
２０２　閾値保持部
２０３　電源ＯＮ／ＯＦＦ制御部
４０２　判定結果カウント部
６０２　第１の閾値保持部
６０３　第２の閾値保持部
【図１】
2004112454.tif 000003
【図２】
2004112454.tif 000004
【図３】
2004112454.tif 000005
【図４】
2004112454.tif 000006
【図５】
2004112454.tif 000007
【図６】
2004112454.tif 000008
【図７】
2004112454.tif 000009